(57)【特許請求の範囲】
【請求項１】
前後方向に対向する複数のシュート板によって幅方向一対の側板間に上下方向に延びるように形成された前後複数列の商品通路を有し、各商品通路に商品を収納可能な前後複数の商品収納コラムと、商品収納コラムの後方に向かって下り傾斜をなす商品案内部材によって形成され、前方に位置する商品収納コラムに設けられた商品投入口から投入された商品を商品通路に案内する複数の投入口通路とを備え、各商品収納コラムの側板にシュート板または商品案内部材を支持する支軸を取付可能な複数の支軸取付孔を設けた自動販売機の商品収納装置において、
前記各商品収納コラムのうち前後方向少なくとも二列の商品収納コラムの側板に、その側板が前後方向少なくとも二列の商品収納コラムのうち何れの位置の商品収納コラムに配置されてもその位置に設けられるシュート板または商品案内部材の支軸を取付可能な支軸取付孔を有する側板を用い、
後方に位置する商品収納コラムの上下寸法が前方に位置する商品収納コラムの上下寸法よりも小さくなるように側板の上端側を加工して各商品収納コラムを前後方向に配列した
ことを特徴とする自動販売機の商品収納装置。
【請求項２】
前記各商品収納コラムのうち、一部の側板を前後方向奇数列の商品通路を有するように構成し、他の側板を前後方向偶数列の商品通路を有するように構成した
ことを特徴とする請求項１記載の自動販売機の商品収納装置。
【発明の詳細な説明】
【技術分野】
【０００１】
本発明は、缶、ビンまたはペットボトル入り飲料等の商品を販売するための自動販売機の商品収納装置に関するものである。
【背景技術】
【０００２】
従来、この種の商品収納装置としては、幅方向一対の側板間に上下方向に延びる前後複数列の商品通路を有し、各商品通路に商品を収納可能な前後複数の商品収納コラムと、前方に位置する商品収納コラムに設けられた商品投入口から投入された商品を商品通路に案内する複数の投入口通路とを備え、各商品収納コラムの側板に他の所定の部品を支持する支軸を取付可能な複数の支軸取付孔を設けたものが知られている（例えば、特許文献１参照）。
【特許文献１】実用新案登録第２５６９２０７号公報
【発明の開示】
【発明が解決しようとする課題】
【０００３】
しかしながら、前記商品収納装置において、互いに前後方向に配置される各商品収納コラムは、同じ列数の商品通路を有する商品収納コラムであっても、それぞれ側板の異なる位置に他の部品が取付けられるようになっているため、それぞれの商品収納コラムに応じた位置に支軸取付孔を有する専用の側板が必要となり、製造コストが増加するという問題点があった。
【０００４】
本発明は前記問題点に鑑みてなされたものであり、その目的とするところは、商品収納コラムの前後方向の取付位置に拘わらず、使用する側板の共通化を図ることのできる自動販売機の商品収納装置を提供することにある。
【課題を解決するための手段】
【０００５】
本発明は前記目的を達成するために、前後方向に対向する複数のシュート板によって幅方向一対の側板間に上下方向に延びるように形成された前後複数列の商品通路を有し、各商品通路に商品を収納可能な前後複数の商品収納コラムと、商品収納コラムの後方に向かって下り傾斜をなす商品案内部材によって形成され、前方に位置する商品収納コラムに設けられた商品投入口から投入された商品を商品通路に案内する複数の投入口通路とを備え、各商品収納コラムの側板にシュート板または商品案内部材を支持する支軸を取付可能な複数の支軸取付孔を設けた自動販売機の商品収納装置において、前記各商品収納コラムのうち前後方向少なくとも二列の商品収納コラムの側板に、その側板が前後方向少なくとも二列の商品収納コラムのうち何れの位置の商品収納コラムに配置されてもその位置に設けられるシュート板または商品案内部材の支軸を取付可能な支軸取付孔を有する側板を用い、後方に位置する商品収納コラムの上下寸法が前方に位置する商品収納コラムの上下寸法よりも小さくなるように側板の上端側を加工して各商品収納コラムを前後方向に配列している。
【０００６】
これにより、側板が前後方向少なくとも二列の商品収納コラムのうち何れの位置の商品収納コラムに配置されてもその位置に設けられるシュート板または商品案内部材の支軸が取付可能となることから、一種類の側板から同じ列数の商品通路を有する多種類の商品収納コラムが構成される。
【発明の効果】
【０００７】
本発明によれば、一種類の側板から同じ列数の商品通路を有する多種類の商品収納コラムを構成することができるので、側板の共通化を図ることにより製造コストの低減を図ることができる。
【発明を実施するための最良の形態】
【０００８】
図１乃至図８は本発明の一実施形態を示すもので、図１は自動販売機の側面断面図、図２は商品収納コラムの全体斜視図、図３は取付孔を示す側板の側面図、図４は前後７列の商品通路を示す側板の側面図、図５は前後６列の商品通路を示す側板の側面図、図６は前後５列の商品通路を示す側板の側面図、図７は前後４列の商品通路を示す側板の側面図、図８は前後３列の商品通路を示す側板の側面図である。
【０００９】
この商品収納装置を備えた自動販売機は、前面に開口部を有する自動販売機本体１０と、自動販売機本体１０の前面を開閉する外扉２０とからなり、外扉２０の幅方向一端側が自動販売機本体１０の前面側に回動自在に支持されている。
【００１０】
自動販売機本体１０の内部には、上面側、底面側、背面側及び左右両側面側を断熱壁１１によって仕切ることにより商品収納部１２が形成され、商品収納部１２には後述する複数の商品収納コラム３０が幅方向及び前後方向に複数配置されている。また、商品収納部１２の下部には、各商品収納コラム３０から落下搬出される商品を外扉２０に設けられた商品取出口２１に案内するための傾斜板１３が前下りに傾斜するように設けられ、傾斜板１３の下方には商品収納部１２を冷却するための冷却器１４及び冷却器用送風機１５が設けられている。更に、商品収納部１２の前面は、幅方向一端側が自動販売機本体１０に回動自在に支持された断熱性を有する部材からなる内扉１６によって開閉されるようになっている。内扉１６の下部には商品収納部と商品取出口を連通するための複数の商品搬出口１６ａが設けられ、各商品搬出口１６ａの上端には商品搬出口１６ａを開閉するための搬出扉１６ｂが回動自在に支持されている。また、商品収納部１２の下方には機械室１７が設けられ、機械室１７内には銅またはステンレス等からなる冷媒流通用の配管によって冷却器１４に接続された図示しない圧縮機及び凝縮器等の冷凍機器や電装ユニットが配置されている。
【００１１】
各商品収納コラム３０は、自動販売機本体１０の幅方向に対向するように設けられた一対の側板３１と、各側板３１間に上下方向に延びるように設けられ、前後複数の商品通路３０ａを形成するためのシュート板３２と、一方の側板３１側に設けられ、各商品通路３０ａの通路幅を変更可能な可動側板３３と、商品収納部１２の前端側に位置する複数の商品投入口３０ｂから各商品通路３０ａの上端に商品を案内する投入口通路３０ｃの幅方向一端側の少なくとも一部を形成する複数の第１の商品案内部材３４と、商品通路３０ａの下部に設けられた商品搬出機構３５と、商品搬出機構３５と対向するように設けられた通路幅調整板３６とを備えている。また、本実施形態では、前後２列または３列の商品通路３０ａを有する商品収納コラム３０が用いられ、商品収納コラム３０を前後に組み合わせて配置することにより前後３列〜７列の商品通路３０ａが形成されるようになっている。
【００１２】
また、投入口通路３０ｃは、幅方向他端側が前後方向に並べて配置された商品収納コラム３０の前後方向に亘って延びる第２の商品案内部材３７によって形成されている。
【００１３】
各側板３１は、上下方向に延びる板状部材からなり、商品通路３０ａ及び投入口通路３０ｃの左右両側面を形成している。また、各側板３１には、各商品収納コラム３０の他の部品（ここでは、シュート板３２及び第１の商品案内部材３４）を支持する支軸４０及び商品搬出機構３５及び通路幅調整板３６を取付可能な複数の取付孔３１ａ，３１ｂ，３１ｃ，３１ｄが設けられている。他の部品は、各商品収納コラム３０の組み合わせによって各側板３１への取付位置が異なるとともに、各商品収納コラム３０の所定の組み合わせにおける前後の配置によっても各側板３１への取付位置が異なり、全ての他の部品３２，３４の取付位置に対応する側板３１の下端側を基準とした所定位置にそれぞれ取付孔３１ａ，３１ｂが設けられている。更に、各側板３１は、各商品収納コラム３０の組み合わせ及び各商品収納コラム３０の所定の組み合わせにおける前後の配置によって上下方向の寸法が異なり、上端側を加工することにより所定の上下方向の寸法に形成される。また、各側板３１の上端には、前後方向に延びるフック状の係合部３１ｅが設けられ、商品収納部１２の天井面に前後方向に延びるように設けられたレール部材１２ａに各係合部３１ｅを係合させることにより商品収納コラム３０が商品収納部１２に吊下げ支持されるようになっている。図３（ａ）（ｂ）は、側板３１に設けられた取付孔３１ａ，３１ｂ，３１ｃ，３１ｄを示しており、塗り潰された円は第１の商品案内部材３４専用の支軸取付孔３１ｂを示し、それ以外はシュート板３２、商品搬出機構３５及び通路幅調整板３６の取付孔３１ａ，３１ｃ，３１ｄを示している。
【００１４】
各シュート板３２は、円弧状に形成された円弧部３２ａが上下方向に連続して複数設けられた板状部材からなり、円弧部３２ａの凹部を互いに前後方向に対向させるとともに、円弧部３２ａを互いに上下方向にずれるように配置することにより、蛇行状の商品通路３０ａが形成されるようになっている。各シュート板３２の上端、下端及び各円弧部３２ａの間には、幅方向に支軸４０を挿通可能な円筒状の連結部３２ｂが設けられ、各シュート板３２は連結部３２ｂに挿通された支軸４０を介して各側板３１間に支持されるようになっている。支軸４０は、一端部に図示しない止め輪等を取付けた状態で各側板３１に設けられた取付孔３１ａに他端部を挿通し、側板３１の外側から他端部にカシメ加工を施すことにより各側板３１に固定されるようになっている。各シュート板３２の各円弧部３２ａの下端側には、商品通路３０ａを落下する商品の落下姿勢を制御するための姿勢制御板３２ｃが設けられている。姿勢制御板３２ｃは、幅寸法がシュート板３２の幅方向寸法と略同一に形成され、前後方向一端部が上下方向に回動自在に支持されている。また、姿勢制御板３２ｃは、基端側に図示しないコイルバネを巻き回すことにより、先端側が商品通路３０ａに向かって略水平に突出するように付勢されている。
【００１５】
可動側板３３は、各商品通路３０ａ内を上下方向に延びる部材からなり、図示しないリンク機構を介して一方の側板３１に連結されている。可動側板３３は、リンク機構によって商品通路３０ａの幅方向に移動自在に設けられ、収納する商品の長手方向の寸法に応じて商品通路３０ａを上下方向に亘って通路幅を変更することができるようになっている。
【００１６】
各第１の商品案内部材３４は、各側板３１間に後方に向かって下り傾斜をなすように設けられ、商品収納コラム３０を前後方向に並べることにより各第１の商品案内部材３４が隙間なく連続するように並べられ、投入口通路３０ｃの幅方向一端側が形成されるようになっている。また、各第１の商品案内部材３４の前後両端の幅方向両側面には、幅方向に貫通する連結孔が設けられ、各第１の案内部材３４は連結孔に挿通された支軸４０を介して各側板３１間に支持されるようになっている。支軸４０は、一端部に図示しない止め輪等を取付けた状態で各側板３１に設けられた取付孔３１ｂに他端部を挿通し、側板３１の外側から他端部にカシメ加工を施すことにより各側板３１に固定されるようになっている。
【００１７】
商品搬出機構３５は、取付孔３１ｃと係合することにより各側板３１間に支持され、各商品通路３０ａの下端を開閉可能なゲートレバー３５ａを有している。また、商品搬出機構３５は、ゲートレバー３５ａによって商品通路３０ａの下端を開放することにより、商品を１つずつ下方に落下搬出するようになっている。
【００１８】
通路幅調整板３６は、商品通路３０ａを挟むように商品搬出機構３５と対向するように設けられ、各側板３１に設けられた長孔状に形成された取付孔３１ｄと係合することにより各側板３１間に支持されている。通路幅調整板３６は、取付孔３１ｄの範囲内で移動可能に設けられ、商品通路３０ａの前後方向の通路幅を調整可能となっている。
【００１９】
各第２の商品案内部材３７は、第１の商品案内部材３４によって形成された投入口通路３０ｃの幅方向他端側を前後方向に亘って延びるように設けられた部材からなり、前後方向に亘り上方に延びる側壁部３７ａと、側壁部３７ａの下端から幅方向に延びる底面部３７ｂとを有している。また、第２の商品案内部材３７は、投入口通路３０ｃの幅方向に移動自在に設けられ、側壁部３７ａの移動によって投入口通路３０ｃの通路幅が変更されるようになっている。
【００２０】
以上のように構成された自動販売機の商品収納装置において、商品通路３０ａを前後７列とする場合には、商品収納部１２の前面側から順に３列、２列、２列の商品通路３０ａを有し、それぞれ上下方向の寸法が前面側から背面側に向かって順に小さくなるように形成された３つの商品収納コラム３０を配置する。この各商品収納コラム３０の各側板３１に取付けられるシュート板３２及び第１の商品案内部材３４は、図４に示すように、それぞれ専用の取付孔３１ａ，３１ｂに挿通された支軸４０によって取付けられ、商品通路３０ａ及び投入口通路３０ｃを形成する。
【００２１】
また、商品通路３０ａを前後６列とする場合には、商品収納部１２の前面側から順に２列、２列、２列の商品通路３０ａを有し、それぞれ上下方向の寸法が前面側から背面側に向かって順に小さくなるように形成された３つの商品収納コラム３０を配置する。この各商品収納コラム３０の各側板３１に取付けられるシュート板３２及び第１の商品案内部材３４は、図５に示すように、それぞれ専用の取付孔３１ａ，３１ｂに挿通された支軸４０によって取付けられ、商品通路３０ａ及び投入口通路３０ｃを形成する。
【００２２】
また、商品通路３０ａを前後５列とする場合には、商品収納部１２の前面側から順に３列、２列の商品通路３０ａを有し、それぞれ上下方向の寸法が前面側から背面側に向かって順に小さくなるように形成された２つの商品収納コラム３０を配置する。この各商品収納コラム３０の各側板３１に取付けられるシュート板３２及び第１の商品案内部材３４は、図６に示すように、それぞれ専用の取付孔３１ａ，３１ｂに挿通された支軸４０によって取付けられ、商品通路３０ａ及び投入口通路３０ｃを形成する。
【００２３】
また、商品通路３０ａを前後４列とする場合には、商品収納部１２の前面側から順に２列、２列の商品通路３０ａを有し、それぞれ上下方向の寸法が前面側から背面側に向かって順に小さくなるように形成された２つの商品収納コラム３０を配置する。この各商品収納コラム３０の各側板３１に取付けられるシュート板３２及び第１の商品案内部材３４は、図７に示すように、それぞれ専用の取付孔３１ａ，３１ｂに挿通された支軸４０によって取付けられ、商品通路３０ａ及び投入口通路３０ｃを形成する。
【００２４】
また、商品通路３０ａを前後３列とする場合には、３列の商品通路３０ａを有する１つの商品収納コラム３０を配置する。この商品収納コラム３０の各側板３１に取付けられるシュート板３２及び第１の商品案内部材３４は、図８に示すように、それぞれ専用の取付孔３１ａ，３１ｂに挿通された支軸４０に取付けられ、商品通路３０ａ及び投入口通路３０ｃを形成する。
【００２５】
このように、本実施形態の自動販売機の商品収納装置によれば、各商品収納コラム３０のうち前後方向少なくとも二列の商品収納コラム３０の側板３１に、その側板３１が前後方向少なくとも二列の商品収納コラム３０のうち何れの位置の商品収納コラム３０に配置されてもその位置に設けられるシュート板３２または第１の商品案内部材３４の支軸４０を取付可能な取付孔３１ａ，３１ｂを設けたので、一種類の側板３１から同じ列数の商品通路３０ａを有する多種類の商品収納コラム３０を構成することができ、側板３１の共通化を図ることにより製造コストの低減を図ることができる。
【００２６】
各商品収納コラム３０のうち、一部の側板３１を前後方向奇数列の商品通路３０ａを有するように構成し、他の側板３１を前後方向偶数列の商品通路３０ａを有するように構成したので、奇数列の商品通路３０ａを有する商品収納コラム３０と偶数列の商品通路３０ａを有する商品収納コラム３０の組み合わせによって商品通路３０ａの前後の列数を自由に設定することができ、自動販売機の仕様に容易に対応することが可能となる。
【図面の簡単な説明】
【００２７】
【図１】本発明の一実施形態を示す自動販売機の側面断面図
【図２】商品収納コラムの全体斜視図
【図３】取付孔を示す側板の側面図
【図４】前後７列の商品通路を示す側板の側面図
【図５】前後６列の商品通路を示す側板の側面図
【図６】前後５列の商品通路を示す側板の側面図
【図７】前後４列の商品通路を示す側板の側面図
【図８】前後３列の商品通路を示す側板の側面図
【符号の説明】
【００２８】
３０…商品収納コラム、３０ａ…商品通路、３０ｂ…商品投入口、３０ｃ…投入口通路、３１…側板、３１ａ，３１ｂ，３１ｃ，３１ｄ…取付孔、３２…シュート板、３４…第１の商品案内部材、３５…商品搬出機構、３６…通路幅調整板。
【図１】
0004445441.tif 000002
【図２】
0004445441.tif 000003
【図３】
0004445441.tif 000004
【図４】
0004445441.tif 000005
【図５】
0004445441.tif 000006
【図６】
0004445441.tif 000007
【図７】
0004445441.tif 000008
【図８】
0004445441.tif 000009